(57)【要約】【課題】  身体部位の抵抗率を求めることにより、精度良く体組成を測定することのできる体組成計を提供すること。【解決手段】  各種情報の入力を受け付けるための操作部３０と、操作部３０からの情報に基づいて、被験者の少なくとも１つの身体部位の断面積と部位長とを含む部位情報を外部メモリ３３に記憶する。被験者の身体の複数の所定の部位に対応付けて接触させるための複数の電極１１〜１８を用いて、インピーダンス計測部１０１が身体部位のインピーダンスを計測する。インピーダンス計測部１０１により計測された身体部位のインピーダンスと、外部メモリ３３に記憶された部位情報とを用いて、抵抗率算出部１０２は、身体部位の抵抗率を算出する。そして、抵抗率算出部１０２により算出された身体部位の抵抗率と、予め身体部位の体組成演算のために定められた関数とに基づいて、体組成計算部１０３は、被験者の身体部位の体組成を計算する。【選択図】        図３
2006230700.tif 000002
【特許請求の範囲】
【請求項１】
各種情報の入力を受け付けるための入力手段と、
前記入力手段からの情報に基づいて、被験者の少なくとも１つの身体部位の断面積と部位長とを含む部位情報を記憶するための記憶手段と、
前記被験者の身体の複数の所定の部位に対応付けて接触させるための複数の電極と、
前記複数の電極を用いて、前記身体部位のインピーダンスを計測するための計測手段と、
前記計測手段により計測された前記身体部位の前記インピーダンスと、前記記憶手段に記憶された前記部位情報とを用いて、前記身体部位の抵抗率を算出するための抵抗率算出手段と、
前記抵抗率算出手段により算出された前記身体部位の前記抵抗率と、予め前記身体部位の体組成演算のために定められた関数とに基づいて、前記被験者の前記身体部位の体組成を計算するための第１の計算手段とを備える、体組成計。
【請求項２】
前記関数は、前記抵抗率および体重値と前記体組成の数値とが対応付けられた関数である、請求項１に記載の体組成計。
【請求項３】
前記体重値を計測するための体重計測手段をさらに備える、請求項２に記載の体組成計。
【請求項４】
前記入力手段により入力された前記身体部位の周囲長から、前記断面積を算出するための断面積算出手段をさらに備える、請求項１に記載の体組成計。
【請求項５】
前記入力手段により入力された前記身体部位の半径または直径から、前記断面積を算出するための断面積算出手段をさらに備える、請求項１に記載の体組成計。
【請求項６】
前記入力手段により入力された身長および座高に基づいて、前記身体部位の前記部位長を算出するための部位長算出手段をさらに備える、請求項１に記載の体組成計。
【請求項７】
前記身体部位は、前記断面積が一定で前記部位長を長さとする円柱モデルに近似し得る身体部位である、請求項１に記載の体組成計。
【請求項８】
前記記憶手段には、胴体および四肢の部位からなる複数の身体部位の前記部位情報が記憶され、
前記計測手段は、前記複数の身体部位それぞれのインピーダンスを計測し、
前記抵抗率算出手段は、前記複数の身体部位それぞれの抵抗率を算出し、
前記第１の計算手段は、前記複数の身体部位それぞれの体組成を計算し、
前記第１の計算手段により計算された前記複数の身体部位の体組成を合成することにより、前記被験者の全身の体組成を計算するための第２の計算手段をさらに備える、請求項１に記載の体組成計。
【請求項９】
前記第１の計算手段により計算された前記身体部位の体組成を表示するための信号を生成する生成手段と、
前記生成手段からの出力に基づいて、対応する表示を行なうための表示手段とをさらに備える、請求項１に記載の体組成計。
【請求項１０】
前記第１の計算手段により計算された前記身体部位ごとの体組成、および、前記第２の計算手段により計算された前記全身の体組成を表示するための信号を生成する生成手段と、
前記生成手段からの出力に基づいて、対応する表示を行なうための表示手段とをさらに備える、請求項８に記載の体組成計。
【発明の詳細な説明】
【技術分野】
【０００１】
本発明は、生体のインピーダンスを計測するインピーダンス計測装置に関し、特に、インピーダンスを計測することにより被験者の体組成を測定することのできる体組成計に関する。
【背景技術】
【０００２】
従来より、インピーダンスを計測することにより被験者の体組成を測定する体組成計は、被験者の健康管理に用いられている。また、このような体組成計において、全身の体組成だけでなく身体部位ごとの体組成を測定し、より詳細な体組成の情報を提示することのできる体組成計も種々存在する。
【０００３】
たとえば特許文献１には、身体部位ごとのインピーダンスとその部位の長さなどを用いて、身体部位ごとの除脂肪量を求める技術が開示されている。この方法によると、各身体部位を円柱として仮定し、円柱の体積Ｖは、ρ・Ｌ２／Ｚ（ただし、ρ：身体の抵抗率、Ｌ：その部位の長さ、Ｚ：その部位のインピーダンス）に比例するという原理を用いている。
【０００４】
しかしながら、特許文献１の方法では、抵抗率ρは実際に測定することはできず、除脂肪量を求める際には、Ｌ２／Ｚのみをパラメータとして使用する。具体的には、部位ごとの除脂肪量ＦＦＭ＝ａ・Ｌ２／Ｚ＋ｂ・Ｗ＋ｃ・Ａｇ＋ｄ（ただし、Ｗ：体重、Ａｇ：年齢、ａ〜ｄ：係数）として表わされる。なお、このような計算式を、以下「一般式」という。
【特許文献１】ＷＯ２００２／０４３５８６
【発明の開示】
【発明が解決しようとする課題】
【０００５】
上記一般式を用いると、身体部位の長さＬ、インピーダンスＺ、体重Ｗ、年齢Ａｇが同じであれば、身体部位の断面積に関わらず除脂肪量は同じ値となる。
【０００６】
しかしながら、実際は、身体部位の断面積（太さ）が異なれば、抵抗率ρ（ρ＝Ｚ・Ｓ／Ｌ（ただし、Ｓ：断面積））も異なる。すなわち、身体部位における脂肪や筋肉の組成比が異なるということになる。このように、上記一般式のような体組成計算式では、被験者の身体部位の断面積（太さ）が考慮されていなかった。
【０００７】
本発明は、上記のような問題を解決するためになされたものであって、その目的は、身体部位の抵抗率を求めることにより、精度良く体組成を測定することのできる体組成計を提供することである。
【課題を解決するための手段】
【０００８】
この発明のある局面に従う体組成計は、各種情報の入力を受け付けるための入力手段と、入力手段からの情報に基づいて、被験者の少なくとも１つの身体部位の断面積と部位長とを含む部位情報を記憶するための記憶手段と、被験者の身体の複数の所定の部位に対応付けて接触させるための複数の電極と、複数の電極を用いて、身体部位のインピーダンスを計測するための計測手段と、計測手段により計測された身体部位のインピーダンスと、記憶手段に記憶された部位情報とを用いて、身体部位の抵抗率を算出するための抵抗率算出手段と、抵抗率算出手段により算出された身体部位の抵抗率と、予め身体部位の体組成演算のために定められた関数とに基づいて、被験者の身体部位の体組成を計算するための第１の計算手段とを備える。
【０００９】
好ましくは、上記関数は、抵抗率および体重値と体組成の数値とが対応付けられた関数である。
【００１０】
好ましくは、体重値を計測するための体重計測手段をさらに備える。
【００１１】
好ましくは、入力手段により入力された身体部位の周囲長から、断面積を算出するための断面積算出手段をさらに備える。
【００１２】
あるいは、入力手段により入力された身体部位の半径または直径から、断面積を算出するための断面積算出手段をさらに備えることが好ましい。
【００１３】
また、入力手段により入力された身長および座高に基づいて、身体部位の部位長を算出するための部位長算出手段をさらに備えることが好ましい。
【００１４】
好ましくは、上記身体部位は、断面積が一定で部位長を長さとする円柱モデルに近似し得る身体部位である。
【００１５】
さらに好ましくは、記憶手段には、胴体および四肢の部位からなる複数の身体部位の部位情報が記憶され、計測手段は、複数の身体部位それぞれのインピーダンスを計測し、抵抗率算出手段は、複数の身体部位それぞれの抵抗率を算出し、第１の計算手段は、複数の身体部位それぞれの体組成を計算する。そして、第１の計算手段により計算された複数の身体部位の体組成を合成することにより、被験者の全身の体組成を計算するための第２の計算手段をさらに備えることが望ましい。
【００１６】
好ましくは、第１の計算手段により計算された身体部位の体組成を表示するための信号を生成する生成手段と、生成手段からの出力に基づいて、対応する表示を行なうための表示手段とをさらに備える。
【００１７】
さらに好ましくは、第１の計算手段により計算された身体部位ごとの体組成、および、第２の計算手段により計算された全身の体組成を表示するための信号を生成する生成手段と、生成手段からの出力に基づいて、対応する表示を行なうための表示手段とをさらに備える。
【発明の効果】
【００１８】
本発明によると、身体部位の抵抗率を算出することができる。したがって、算出された抵抗率を用いて体組成を計算することができる。これにより、実測値に基づく精度の高い体組成を測定することができる。
【発明を実施するための最良の形態】
【００１９】
本発明の実施の形態について図面を参照しながら詳細に説明する。なお、図中同一または相当部分には同一符号を付してその説明は繰返さない。
【００２０】
＜本発明の実施の形態における体組成計の外観および構成＞
図１は、本発明の実施の形態における体組成計１００の外観斜視図である。
【００２１】
図１を参照して、体組成計１００は、第１の筐体１および第２の筐体２により構成される。第１の筐体１および第２の筐体２は、ケーブル３により接続される。体組成計１００には、被験者の身体の複数の所定の部位に対応付けて接触させるための複数の電極１１〜１８が設けられる。
【００２２】
第１の筐体１には、被験者の左足を載置するための載置部１．１と、被験者の右足を載置するための載置部１．２と、第２の筐体２とケーブル３とを収納するための収納部４とが設けられる。なお、第１の筐体１の内部には、被験者の体重を計測するための体重計測部３２（図３参照）、たとえば体重センサが設けられているものとする。
【００２３】
載置部１．１および１．２には、それぞれ被験者の足裏に接触させるための電極が２つずつ備えられる。左足用の載置部１．１には、左足の指側に電流印加用の電極１７が設けられ、左足の踵側に電圧測定用の電極１３が設けられる。また同様に、右足用の載置部１．２には、右足の指側に電流印加用の電極１８が設けられ、左足の踵側に電圧測定用の電極１４が設けられる。
【００２４】
また、載置部１．１および１．２は、被験者が両足を載置すると上記電極１３，１４，１７，１８と接触するように、ほぼ足の外形をなすように形成されている。これにより、両足裏が左右方向に載置部１．１および１．２からずれたとしても、電流印加用の電極１７，１８および電圧測定用の電極１３，１４からはずれにくいので、接触部位および接触面積の変動による誤差の発生を防止することができる。また、大腿部における接触状態の変動による影響も防止することができる。したがって、信頼性の高い測定が可能となる。
【００２５】
第２の筐体２は、本体部２．１と、被験者が左手で握るための左手用のグリップ部２．２と、被験者が右手で握るための右手用のグリップ部２．３とにより構成される。
【００２６】
本体部２．１の前面には、測定結果や各種情報を表示するための表示部２０、および、被験者により操作されて、被験者からの指示や各種情報の入力を受付けるための操作部３０が設けられる。なお、第２の筐体２の本体部２．１に設けられた表示部２０および操作部３０については、後に、図４を用いて詳細に説明する。
【００２７】
なお、本実施の形態においては、操作部３０に含まれる電源スイッチ３０１は、たとえば第１の筐体１の前面中央に設けられる。
【００２８】
第２の筐体２のグリップ部２．２および２．３には、それぞれ被験者の手の内側に接触させるための電極が２つずつ設けられる。左手用のグリップ部２．２には、左手の親指側に電流印加用の電極１５が設けられ、左手の小指側に電圧測定用の電極１１が設けられる。同様に、右手用のグリップ部２．３には、右手の親指側に電流印加用の電極１６が設けられ、右手の小指側に電圧測定用の電極１２が設けられる。
【００２９】
このように、本発明の実施の形態における体組成計１００は、左手、右手、左足、右足の４つの部位にそれぞれ電流印加用および電圧測定用の電極を接触させる構成とされる。なお、このような構成に限られず、たとえば、さらに他の部位用の電流印加用および電圧測定用の電極を備えることとしてもよい。
【００３０】
図２は、被験者が本発明の実施の形態における体組成計１００を用いて、体組成を測定する際の測定姿勢を示す図である。
【００３１】
図２を参照して、被験者２００は、直立した姿勢で、左足２０３および右足２０４をそれぞれ第１の筐体１の載置部１．１および１．２に配置する。また、左手２０１で第２の筐体のグリップ部２．２を握り、右手２０２でグリップ部２．３を握る。この際、両腕２０５および２０６の肘を伸ばし、第２の筐体２が身体前方に対向するようにほぼ肩の高さに保持し、腕２０５，２０６と胴２０７とが略直角をなすようにする。
【００３２】
図３は、本発明の実施の形態における体組成計１００のブロック図である。図３を参照して、体組成計１００は、上記した複数の電極１１〜１８、表示部２０、操作部３０、および体重計測部３２に加え、体組成計１００全体の制御や各種演算等の処理を行なうためのマイコン（マイクロコンピュータの略）１０と、所定周波数の高周波定電流を発生する高周波定電流発生回路４１と、電流印加用の電極１５〜１８を切り替えるための電流印加用電極切替回路４２と、電圧測定用の電極１１〜１４を切り替えるための電圧測定用電極切替回路４３と、電圧測定用電極切替回路４３より得られる電圧情報および体重計測部３２より得られる体重情報のいずれか一方に入力を切り替えるため入力切替回路４４と、入力切替回路４４より得られる電圧情報および体重情報をアナログ信号からデジタル信号に変換するためのＡ（analog）／Ｄ（digital）変換回路４５と、操作部３０に含まれる電源スイッチ３０１が操作されることによりマイコン１０に電力を供給するための電源部３１と、測定結果などの情報を記憶するための外部メモリ３３とを備える。また、マイコン１０には、各種制御プログラムなどを記憶するための内部メモリ１３３が含まれる。
【００３３】
なお、本実施の形態において、外部メモリ３３は、たとえば、ＥＥＰＲＯＭ（Electrically Erasable Programmable Read-Only Memory）を含んでおり、後に記述する被験者の少なくとも１つの身体部位の部位情報や、体組成などの測定結果は、このＥＥＰＲＯＭに格納される。
【００３４】
ここで「身体部位」とは、測定対象となる全身、すなわち頭部分を除く全身を複数の部位に分割した場合の１つの部位をいう。したがって、身体部位は、胴体および四肢のいずれかの部位、または、さらにそれらを分割したいずれかの部位などを表わす。本実施の形態においては、全身を、左腕部，右腕部，左脚部，右脚部，体幹部の５つの部位に分割するものとし、これらの部位をそれぞれ身体部位という。
【００３５】
なお、「左腕部」および「右腕部」とは、たとえば各々の腕の手首から肩峰までを表わす身体部位であり、「左脚部」および「右脚部」とは、たとえば各々の脚の足首から脚の付け根までを表わす身体部位であり、「体幹部」とは、胴体を表わす身体部位であるものとする。
【００３６】
また、「部位情報」とは、後の抵抗率の計算において用いられる各身体部位の情報であり、断面積および部位長をいう。本実施の形態においては、上記５つの身体部位それぞれの部位情報が、外部メモリ３３に記憶されるものとする。なお、これらの詳細については後述する。
【００３７】
マイコン１０は、インピーダンス計測部１０１と、抵抗率算出部１０２と、体組成計算部１０３とを含み、内部メモリ１３３に格納されたプログラムに従い、インピーダンスの計測、抵抗率の算出、および体組成の計算を行なう。また、マイコン１０は、Ａ／Ｄ変換回路４５を介して取得される体重計測部３２、たとえば体重センサからの信号に基づいて、公知の手法により体重を測定する。また、後述する体組成計算部１０３での測定結果などを、表示部２０に表示するための信号を生成する。また、外部メモリ３３への書き込みおよび読み出しを行なう。
【００３８】
インピーダンス計測部１０１は、上記５つの身体部位のインピーダンスを計測する。インピーダンス計測部１０１は、電流印加用電極切替回路４２および電圧測定用電極切替回路４３を制御し、電流印加用の電極および電圧測定用の電極を順次切り替えて、各身体部位のインピーダンスを計測する。より具体的には、高周波定電流発生回路４１より流した電流値と、Ａ／Ｄ変換回路４５を介して取得される２極間の電位差とに基づいて、各身体部位のインピーダンスを計測する。具体的なインピーダンスの計測方法については、後述する。
【００３９】
抵抗率算出部１０２は、インピーダンス計測部１０１で計測した各身体部位のインピーダンスと外部メモリ３３に記憶された各身体部位の部位情報とに基づいて、各身体部位の抵抗率を算出する。具体的な抵抗率の算出方法については、後述する。
【００４０】
体組成計算部１０３は、抵抗率算出部１０２から得られる各身体部位の抵抗率に基づいて、各身体部位の体組成を計算する。また、体組成計算部１０３は、全身を分割した上記５つの身体部位の体組成を合成することにより、全身の体組成を計算することができる。具体的な体組成の計算方法については、後述する。
【００４１】
本実施の形態において、「各身体部位の体組成」とは、少なくとも身体部位ごとの除脂肪量であり、より好ましくは、除脂肪量に加え、筋肉量、骨量、体脂肪量、体脂肪率などの生体情報である。
【００４２】
また、「全身の体組成」とは、少なくとも全身の除脂肪量であり、より好ましくは、除脂肪量に加え、筋肉量、骨量、体脂肪量、体脂肪率、筋肉率、および、内臓脂肪レベルなどである。
【００４３】
体組成計算部１０３により計算された全身および各身体部位の体組成を、表示部２０へ表示するための信号がマイコン１０によって生成される。
【００４４】
なお、体組成計算部１０３は、上記５つの身体部位の体組成を計算した後、表示部２０への測定結果表示のために、右腕部および左腕部の体組成を合成して腕部の体組成を算出してもよいし、右脚部および左脚部の体組成を合成して脚部の体組成を算出してもよい。
【００４５】
本実施の形態においては、このように、上記５つの身体部位の体組成を計算した後に、腕部および脚部の体組成を計算し、３つの身体部位（腕部、脚部、体幹部）の体組成を測定結果として外部メモリ３３に記憶するものとして説明する。
【００４６】
以下、体組成測定の対象とされる全身および各々の身体部位を総称して、「被測定部位」というものとする。
【００４７】
次に、本発明の実施の形態における体組成計１００の表示部２０および操作部３０の具体例を図４に示す。図４は、第２の筐体２の正面図である。
【００４８】
図４を参照して、第２の筐体２の本体部２．１の表示部２０は、第１の表示領域２０．１と第２の表示領域２０．２とを含む。第１の表示領域２０．１および第２の表示領域２０．２は、たとえば液晶等により構成される。
【００４９】
第１の表示領域２０．１には、被験者の身体特定情報や測定結果などを示す数値や文字、図形等が表示される。また、第２の表示領域２０．２には、たとえば、身体を複数の身体部位に分けた図形（以下「人体図」という）が表示される。そして、第１の表示領域２０．１に測定結果が表示される場合には、人体図のうち、表示中の被測定部位の部分が点灯表示される。これにより、第１の表示領域２０．１に表示されている被測定部位の情報を被験者に知らせることができる。
【００５０】
なお、表示部２０はこのような構成に限られず、表示中の被測定部位の情報が被験者に知らせることができるものであればよい。
【００５１】
操作部３０は、被験者や医師等により操作され、各種情報や指示の入力を受け付けるための複数の操作スイッチを含む。たとえば、全身の体組成などの測定結果を表示するための全身スイッチ３０２と、体幹部の体組成などの測定結果を表示するための体幹スイッチ３０３と、脚部の体組成などの測定結果を表示するための脚スイッチ３０４と、腕部の体組成などの測定結果を表示するための腕スイッチ３０５と、各種設定や表示切替を行なうための設定／表示切替スイッチ３０６と、外部メモリ３３に記憶された測定結果を表示するためのメモリスイッチ３０７と、部位情報の設定の際などに数値の増減を行なうための上下スイッチ３０８と、被験者の情報を特定するための個人番号スイッチ３０９とを含む。なお、全身スイッチ３０２、体幹スイッチ３０３、脚スイッチ３０４、腕スイッチ３０５を総称して「部位別スイッチ」と称する。
【００５２】
個人番号スイッチ３０９は、少なくとも１つ設けられる。図４においては、２つ設けられ、この個人番号スイッチ３０９で指定される番号（１，２）ごとに、被験者の各身体部位の部位情報および測定結果などが外部メモリ３３に記憶される。
【００５３】
なお、操作部３０にたとえばゲストスイッチ３１０を設けて、測定の度に被験者の部位情報を入力し、体組成の測定を行なうこととしてもよい。
【００５４】
また、操作部３０は、上記のような操作スイッチにより構成されているものでなくてもよい。たとえば、タッチパネルなどにより各種情報や指示の入力がされるものであってもよい。
【００５５】
＜インピーダンスの計測＞
図５は、各身体部位のインピーダンスを示す模式図である。また、図６は、全身のインピーダンスを示す模式図である。
【００５６】
図５を参照して、各身体部位のインピーダンスは、左腕部６１．１のインピーダンスを「Ｚｌｈ」、右腕部６１．２のインピーダンスを「Ｚｒｈ」、左脚部６３．１のインピーダンスを「Ｚｌｆ」、右脚部６３．２のインピーダンス「Ｚｒｈ」、体幹部６２のインピーダンスを「Ｚｔ」として表わされる。
【００５７】
また、図６を参照して、全身６０のインピーダンスは「Ｚｗ」として表わされる。
【００５８】
上述のように、本実施の形態におけるインピーダンス計測部１０１は、各身体部位のインピーダンスを計測する。
【００５９】
たとえば、左腕部６１．１のインピーダンスＺｌｈは、図７に示すように、左手・左足間に交流電流を流し、両手間の電位差を測ることにより計測される。具体的には、インピーダンス計測部１０１は、電流印加用の電極１５，１７間に高周波（交流）電流を流し、電圧測定用の電極１１，１２間の電位差を測定することによって、左腕部のインピーダンスＺｌｈを計測する。
【００６０】
このようにして、インピーダンス計測部１０１は、電極１１〜１８を切り替えることにより、各身体部位のインピーダンス（Ｚｌｈ，Ｚｒｈ，Ｚｔ，Ｚｌｆ，Ｚｒｈ）を計測する。
【００６１】
ところで、各身体部位は、図８に示されるような円柱モデルに近似される。図８は、各身体部位を円柱モデルで表わした模式図である。
【００６２】
図８を参照して、左腕部６１．１は円柱１６１．１で表わされ、右腕部６１．２は円柱１６１．２で表わされる。また、体幹部６２は円柱１６２で表わされる。左脚部６３．１は円柱１６３．１で表わされ、右脚部６３．２は円柱１６３．２で表わされる。
【００６３】
ここで、このような円柱モデルについて図９を用いて説明する。
【００６４】
図９を参照して、円柱モデルは、断面積をＳ、軸方向の長さをＬとすると、インピーダンスＺは、次のように表わすことができる。
【００６５】
Ｚ＝ρ×（Ｌ／Ｓ）          …（１）
ρ：抵抗率
本実施の形態では、各身体部位のインピーダンス計測後、抵抗率ρを算出し、この抵抗率ρを用いて除脂肪量等の体組成を計算する。
【００６６】
＜抵抗率の算出＞
上記（１）式に基づき、抵抗率ρは、次式により計算される。
【００６７】
ρ＝Ｚ×（Ｓ／Ｌ）
したがって、抵抗率ρを計算するためには、円柱、すなわち、身体部位の断面積Ｓと長さＬとが必要となる。なお、本実施の形態において、円柱の長さＬに相当する身体部位の長さを、「部位長」という。
【００６８】
上述したように、各身体部位の断面積と部位長とを含む部位情報は、予め外部メモリ３３に記憶される。そのために、被験者により、予め部位情報が入力されている必要がある。なお、メモリカードなどの記録媒体に被験者の各身体部位の部位情報が予め記録されていて、この記録媒体により部位情報が入力されて、外部メモリ３３に記憶されるものであってもよい。
【００６９】
図１０は、本発明の実施の形態における体組成計１００のマイコン１０が実行する部位情報記憶処理の流れを示すフローチャートである。なお、この処理は、被験者により、たとえば設定／表示切替スイッチ３０６が押圧され、引き続き個人番号スイッチ３０９やゲストスイッチ３１０が押圧されることにより開始される処理である。
【００７０】
図１０を参照して、はじめに、マイコン１０は、表示部２０の表示領域２０．１に、上記５つの身体部位の部位長の入力を促す表示を行なう（ステップＳ１）。この際、たとえば、表示領域２０．１には所定の数字を表示し、上下スイッチ３０８によって部位長の設定を行なうように促される。
【００７１】
次に、マイコン１０は、各身体部位の部位長の入力を受け付ける（ステップＳ２）。
【００７２】
被験者は、それぞれの身体部位の部位長を計測し、操作部３０を操作することにより各身体部位の部位長を入力する。「左腕部」および「右腕部」の部位長は、たとえば各々の肩峰から手首までの長さを計測することにより入力することができる。また、「体幹部」の部位長は、たとえば首の付け根から脚の付け根までの長さを計測することにより入力することができる。また、「左脚部」および「右脚部」の部位長は、たとえば足首から脚の付け根までの長さを計測することにより入力することができる。
【００７３】
なお、被験者の身長および座高を入力することにより、身体部位の部位長がマイコン１０によって計算されることとしてもよい。この場合、たとえば、座高を体幹部の部位長に代用することができる。また、身長から座高を引いた長さを脚（左脚部および右脚部）の部位長とすることができる。
【００７４】
ステップＳ２において、上下スイッチ３０８が操作された後、たとえば設定／表示切替スイッチ３０６が押圧されると、マイコン１０は、表示中の数字を部位長として確定する。
【００７５】
続いて、マイコン１０は、表示部２０の表示領域２０．１に、上記５つの身体部位の周囲長の入力を促す表示を行なう（ステップＳ３）。ここでも、ステップＳ１において説明したように、たとえば、表示領域２０．１には所定の数字を表示し、上下スイッチ３０８によって周囲長の設定を行なうように促される。
【００７６】
次に、マイコン１０は、各身体部位の周囲長の入力を受け付ける（ステップＳ４）。
【００７７】
被験者は、それぞれの身体部位の周囲長を計測し、操作部３０を操作することにより各身体部位の周囲長を入力する。「左腕部」および「右腕部」の周囲長は、たとえば各々の手首の周囲の長さを計測することにより入力することができる。また、「体幹部」の周囲長は、たとえば臍位置高さの周囲の長さを計測することにより入力することができる。また、「左脚部」および「右脚部」の周囲長は、たとえば大腿部の周囲の長さを計測することにより入力することができる。
【００７８】
ステップＳ４においても、ステップＳ２において説明したように、上下スイッチ３０８が操作された後、たとえば設定／表示切替スイッチ３０６が押圧されると、マイコン１０は、表示中の数字を周囲長として確定する。
【００７９】
次に、マイコン１０は、ステップＳ４で入力された周囲長から、各身体部位の断面積を算出する（ステップＳ６）。具体的には、ステップＳ４で入力された周囲長をｌとすると、次式により断面積Ｓを算出する。
【００８０】
Ｓ＝ｌ２／４π
全ての身体部位の断面積を算出すると、身体部位ごとの部位長および断面積（部位情報）を外部メモリ３３に記憶する（ステップＳ８）。
【００８１】
なお、個人番号スイッチ３０９を指定して上記操作がされた場合には、個人番号スイッチ３０９で特定される個人番号に対応付けて身体部位ごとの部位情報が記憶される。
【００８２】
また、断面積算出のために、各身体部位の周囲長を入力することとしたが、これに限られず、たとえば、各身体部位の半径または直径を入力することとしてもよい。
【００８３】
＜体組成の計算＞
（身体部位の体組成計算について）
はじめに、各身体部位の体組成、たとえば除脂肪量の計算方法について説明する。
【００８４】
たとえば上述の一般式では、身体部位ごとの除脂肪量を、被験者の身体部位の長さＬ、インピーダンスＺ、体重Ｗ、年齢Ａｇにより求めていた。しかしながら、部位の長さＬ，インピーダンスＺ，体重Ｗ，年齢Ａｇが同じであっても、断面積が狭い（細い）部位と断面積が広い（太い）部位とでは、断面積の広い部位の方が抵抗率は大きくなる。抵抗率が大きいと、電流が流れにくいということになるため、断面積の広い部位の方が脂肪が多い、すなわち、除脂肪量は少ないと考えられる。
【００８５】
そこで、本発明においては、上記５つの身体部位の除脂肪量ＦＦＭ０は、各身体部位の実測値を用いて計算された抵抗率ρに基づいて計算される。
【００８６】
すなわち、ＦＦＭ０は、抵抗率ρの関数により表わされる。
【００８７】
ＦＦＭ０＝ｆ（ρ）
また、この関数ｆ（ρ）は、体重値をＷとすると、たとえば次のように表わされる。
【００８８】
ｆ（ρ）＝ａ・１／ρ＋ｂ・Ｗ＋ｃ
なお、上記式においてａ〜ｃは、身体部位ごとに予め定められた所定の定数である。
【００８９】
このような関数ｆ（ρ）は、身体部位ごとに予め内部メモリ３３に記憶されている。
【００９０】
このように、除脂肪量ＦＦＭ０は、被験者の年齢や性別、身長等の身体情報によらず、各身体部位の抵抗率ρと、体重とにより計算される。したがって、被験者の実際の体型に即した、実測値に基づいた除脂肪量ＦＦＭ０を算出することができる。これにより、部位の長さＬ，インピーダンスＺ，体重Ｗ，年齢Ａｇが同じであっても、体組成の違いを反映した精度の高い体組成を測定することができ、精度の高い体組成の値を被験者に提示することができる。
【００９１】
なお、関数ｆ（ρ）は、抵抗率ρと体重Ｗの多項式を、ＭＲＩやＤＥＸＡ（Dual energy X-ray absorptiometry）などの実測データにフィッティングした計算式である。また、関数ｆ（ρ）は上記のような式に限られず、たとえば次のような式を用いてもよい。
【００９２】
ｆ（ρ）＝ａ１・１／ρ＋ｂ１・Ｗ＋ｃ１・Ｓ＋ｄ１
ただし、ａ１〜ｄ１は所定の定数であり、Ｓは身体部位の断面積である。あるいは、次のような式を用いてもよい。
【００９３】
ｆ（ρ）＝ａ２・１／ρ＋ｂ２・Ｗ＋ｃ２・Ｓ＋ｄ２・Ｌ＋ｅ２
ただし、ａ２〜ｄ２は所定の定数であり、Ｓは身体部位の断面積、Ｌは身体部位の部位長である。
【００９４】
また、関数ｆ（ρ）は、たとえば、２次以上の関数であってもよい。
【００９５】
また、除脂肪量と同様の計算式で、身体部位ごとの筋肉量、体脂肪量、および骨量なども計算することができる。
【００９６】
（全身の体組成計算について）
ここではじめに、公知の手法による全身の体組成の計算方法について簡単に説明する。
【００９７】
たとえば、全身は、図１６に示すように、身長とたとえば体格指数（ＢＭＩ）などの身体情報により推定される断面積とからなる１つの円柱モデルに近似される。なお、体格指数（ＢＭＩ）は、（体重）／（身長）２で表わされる。
【００９８】
この場合、図６に示したような全身６０のインピーダンスＺｗを計測するためには、図１５に示すように、両手・両足間に交流電流を流し、両手・両足間の電位差を測ることにより計測される。具体的には、両手の電流印加用の電極１５，１６間および、両足の電流印加用の電極１７，１８間をそれぞれ接続し、また、両手の電圧測定用の電極１１，１２間および、両足の電圧測定用の電極１３，１４間をそれぞれ接続して、電流印加用の電極１５〜１８に高周波（交流）電流を１方向に流し、電圧測定用の電極１１〜１４を用いて電位差を測ることによって、全身のインピーダンスＺｗが計測される。
【００９９】
このように、従来からの手法では、全身の体組成は、身長と体格指数などの身体情報とにより被験者の体型を円柱モデルに近似させ、計測したインピーダンスを用いて計算されるものである。しかしながら、同じ体格指数であっても、個々人によって脚の長さや太さなど体型は異なるため、被験者の体型が考慮された精度の良い全身の体組成を測定することは困難であった。
【０１００】
一方、本発明の実施の形態では、実測値に基づいて計算された身体部位ごとの体組成を用いて全身の体組成が計算される。
【０１０１】
たとえば全身の除脂肪量ＦＦＭＡは、左腕部６１．１の除脂肪量をＦＦＭ０＿ｌｈ、右腕部６１．２の除脂肪量をＦＦＭ０＿ｒｈ、体幹部６２の除脂肪量をＦＦＭ０＿ｔ、左脚部６３．１の除脂肪量をＦＦＭ０＿ｌｆ、右脚部６３．２の除脂肪量をＦＦＭ０＿ｒｆとすると、単純に次式のような計算式で求めることができる。
【０１０２】
ＦＦＭＡ＝ＦＦＭ０＿ｌｈ＋ＦＦＭ０＿ｒｈ＋ＦＦＭ０＿ｔ
＋ＦＦＭ０＿ｌｆ＋ＦＦＭ０＿ｒｆ
また、全身の筋肉量ＬＢＭＡなども同様にして計算することができる。
【０１０３】
さらに、全身の除脂肪量ＦＦＭＡより、全身の体脂肪量を計算することができる。体脂肪量は、次式により表わされる。
【０１０４】
体脂肪量（ｋｇ）＝体重Ｗ（ｋｇ）−除脂肪量ＦＦＭＡ（ｋｇ）
また、全身の体脂肪量より、全身の体脂肪率を計算することができる。体脂肪率は、次式により表わされる。
【０１０５】
体脂肪率（％）＝｛体脂肪量（ｋｇ）÷体重Ｗ（ｋｇ）｝×１００
このようにして、全身の体組成についても、実測値に基づいた精度の高い体組成を計算することができる。
【０１０６】
＜本発明の実施の形態における体組成計の動作＞
図１１および図１２は、本発明の実施の形態における体組成計１００の測定処理の流れを示すフローチャートである。なお、この処理が開示される時点で、予め外部メモリ３３には、被験者の個人番号に対応付けて、被験者の各身体部位の部位情報が記憶されているものとして説明する。
【０１０７】
図１１を参照して、初めに、電源スイッチ３０１が操作されると電源部３１によりマイコン１０に電力が供給される（ステップＳ１０）。続いて、マイコン１０は、体重計測部３２における体重計を初期化する（ステップＳ１２）。
【０１０８】
そして、マイコン１０は、体重計測部３２からのセンサ信号の出力が安定したか否かを判断する（ステップＳ１４）。センサ信号の出力が安定していないと判断すると（ステップＳ１４においてＮＯ）、ステップＳ１２に処理を戻す。一方、センサ信号の出力が安定したと判断した場合（ステップＳ１４においてＹＥＳ）、マイコン１０は、体重測定の準備が完了したことを検知する（ステップＳ１６）。
【０１０９】
続いて、マイコン１０は、個人番号の選択があったか否かを判断する（ステップＳ１８）。個人番号の選択がなかったと判断した場合（ステップＳ１８においてＮＯ）、体重のみの測定モードであると判断する（ステップＳ２０）。
【０１１０】
続いて、マイコン１０は、所定時間内に体重値が安定したか否かを判断する（ステップＳ２２）。所定時間内に体重値が安定しなければ（ステップＳ２２においてＮＯ）、エラーであると判定する（ステップＳ２４）。このとき、エラーである旨の表示を表示部２０の第１の表示領域２０．１に表示させてもよい。なお、後のステップにおいても、エラーと判定されると、同様の表示をさせてもよい。
【０１１１】
ステップＳ２４の処理が終了すると、体組成計１００の電源を切ってこの測定処理を終了する（ステップＳ６８）。
【０１１２】
ステップＳ２２において所定時間内に体重値が安定したと判断した場合（ステップＳ２２においてＹＥＳ）、体重値を確定する（ステップＳ２６）。そして、マイコン１０は、表示部２０にステップＳ２６において確定した体重値を表示する（ステップＳ２８）。ステップＳ２８の処理が終了すると、体組成計１００の電源を切ってこの測定処理を終了する（ステップＳ６８）。
【０１１３】
一方、ステップＳ１８において、個人番号が選択されたと判断した場合（ステップＳ１８においてＹＥＳ）、続いて、メモリスイッチ３０７が押されたか否かを判断する（ステップＳ３０）。メモリスイッチ３０７が押されたと判断した場合（ステップＳ３０においてＹＥＳ）、外部メモリ３３に記憶された過去の測定結果を示すメモリ値を表示する（ステップＳ３２）。なお、初めて体組成を測定する場合など過去のメモリ値が外部メモリ３３に記憶されていない場合には、たとえば、エラー表示を行なって、ステップＳ３４の処理へ進むこととしてもよい。
【０１１４】
ステップＳ３２の処理が終了すると、体組成計１００の電源を切ってこの測定処理を終了する（ステップＳ６８）。
【０１１５】
一方、ステップＳ３０においてメモリスイッチ３０７が押されなかったと判断した場合（ステップＳ３０においてＮＯ）、マイコン１０は、体重および体組成測定モードであると判断する（ステップＳ３４）。そして、マイコン１０は、所定時間内に体重値が安定したか否かを判断する（ステップＳ３６）。所定時間内に体重値が安定しなかった場合（ステップＳ３６においてＮＯ）、マイコン１０はエラーであると判定する（ステップＳ３８）。そして、ステップＳ３８の処理が終了すると、体組成計１００の電源を切ってこの測定処理を終了する（ステップＳ６８）。
【０１１６】
ステップＳ３６において所定時間内に体重値が安定したと判断した場合（ステップＳ３６においてＹＥＳ）、マイコン１０は体重値を確定する（ステップＳ４０）。確定した体重値は、たとえば外部メモリ３３の所定の領域に一時的に記憶される。
【０１１７】
ステップＳ４０の処理が終了すると、マイコン１０は、入力切替回路４４に制御信号を送信し、入力を電圧測定用電極１１〜１４からの電圧情報に切り替えて、図１２に示すステップＳ４２に処理を進める。
【０１１８】
図１２を参照して、ステップＳ４２において、マイコン１０のインピーダンス計測部１０１は、所定時間内にインピーダンス値が所定範囲内であるか否かを判断する（ステップＳ４２）。所定時間内にインピーダンス値は所定範囲内にならなければ（ステップＳ４２においてＮＯ）、エラーであると判定する（ステップＳ４４）。ステップＳ４４において、エラーであると判定されると、体組成計１００の電源を切ってこの測定処理を終了する（ステップＳ６８）。
【０１１９】
一方、ステップＳ４２において、所定時間内にインピーダンス値が所定範囲内にあると判断した場合（ステップＳ４２においてＹＥＳ）、ステップＳ４６に処理を進める。
【０１２０】
ステップＳ４６において、インピーダンス計測部１０１は、所定時間内にインピーダンス値が安定したか否かを判断する（ステップＳ４６）。所定時間内にインピーダンス値が安定しなければ（ステップＳ４６においてＮＯ）、インピーダンス計測部１０１はエラーであると判定する（ステップＳ４８）。ステップＳ４８においてエラーであると判断されると、体組成計１００の電源を切ってこの測定処理を終了する（ステップＳ６８）。
【０１２１】
一方、所定時間内にインピーダンス値が安定したと判断した場合（ステップＳ４６においてＹＥＳ）、インピーダンス計測部１０１は、インピーダンス値を確定する（ステップＳ５２）。確定した身体部位のインピーダンス値は、たとえば外部メモリ３３の所定の領域に一時的に記憶される。なお、ステップＳ４２〜５２の処理は、インピーダンス計測部１０１によって、全ての身体部位について順に行なわれるものとする。
【０１２２】
ステップＳ５２においてインピーダンス値が確定すると、抵抗率算出部１０２は、各身体部位のインピーダンス値と、外部メモリ３３に記憶された各身体部位の部位情報とに基づいて、各身体部位の抵抗率を算出する（ステップＳ５３）。なお、抵抗率の算出方法については、上述した通りであるので、ここでの説明は繰り返さない。
【０１２３】
ステップＳ５３の処理が終了すると、体組成計算部１０３が、体組成の計算処理を行なう（ステップＳ５４）。ステップＳ５４において、体組成計算部１０３は、上述のように、各身体部位の体組成を計算し、その後、全身の体組成を計算する。なお、上記以外の体組成の計算は、たとえば公知の手法により行なうことができる。
【０１２４】
ステップＳ５４の処理が終了すると、マイコン１０は、ステップＳ４０において確定した体重値およびステップＳ５４において計算した体組成の数値を、外部メモリ３３に測定結果として記憶する（ステップＳ５６）。
【０１２５】
この測定結果は、被験者の個人番号ごとに、図示しない計時部より得られる日付および測定時刻の情報とともに、たとえば所定数記憶される。所定数を超えると、古いメモリ値に上書きされるなど、最新の測定結果が記憶される。なお、ステップＳ５６においては、体組成数値のみが記憶されることとしてもよい。また、ステップＳ５４で計算した体組成の数値のうち所定の情報のみを記憶することとしてもよい。
【０１２６】
次に、マイコン１０は、計算した体組成数値を表示部２０に表示する（ステップＳ５８）。ここでは、全身の体組成および他の情報が表示される。全身の体組成としては、たとえば除脂肪量、筋肉量、体脂肪率、筋肉率、内臓脂肪レベルなどが表示される。また、ステップＳ４０で確定した体重値、および体格指数（ＢＭＩ）や基礎代謝などの生体情報もあわせて表示される。これらの情報は、表示部２０の第１の表示領域２０．１に表示され、第２の表示領域２０．２では、人体図の全て（全身）が点灯される。
【０１２７】
また、表示部２０の第１の表示領域２０．１が小さい場合などには、これらの情報を順に表示することとしてもよい。たとえば、図１３に示すように、はじめに、体重および基礎代謝を表示し（図１３（ａ）参照）、その後、設定／表示切替スイッチ３０６が操作される度に、順に、筋肉率および体脂肪率の表示（図１３（ｂ）参照）、ＢＭＩおよび内臓脂肪レベルの表示（図１３（ｃ）参照）、筋肉量および除脂肪量の表示（図１３（ｄ）参照）と切り替え、これらが繰り返し表示させることとしてもよい。なお、図１３では、個人番号１の被験者の測定結果が表示されているものとする。
【０１２８】
たとえば図１３（ａ）では、第１の表示領域２０．１に、体重５２．３ｋｇ、基礎代謝１１８２ｋｃａｌと表示される。図１３（ｂ）では、第１の表示領域２０．１に、筋肉率２８．８％、体脂肪率２３．０％と表示される。図１３（ｃ）では、第１の表示領域２０．１に、ＢＭＩ２０．４、内臓脂肪レベル３と表示される。図１３（ｄ）では、第１の表示領域２０．１に、筋肉量１５．１ｋｇ、除脂肪量４０．３ｋｇと表示される。また、図１３（ａ）〜（ｄ）において、第２の表示領域２０．２には、人体図の全て（全身）が点灯される。なお、図１３の表示例においては、頭部も含む全身の体組成数値が表示されているものとする。
【０１２９】
ステップＳ５８の処理が終了すると、ステップＳ６０に進み、マイコン１０は、メモリスイッチ３０７が押されたか否かを判断する。メモリスイッチ３０７が押されなかったと判断した場合（ステップＳ６０においてＮＯ）、続いて部位別スイッチ３０２〜３０５が押されたか否かを判断する（ステップＳ６４）。
【０１３０】
ステップＳ６４で部位別スイッチ３０２〜３０５が押されなかったと判断した場合（ステップＳ６４にてＮＯ）、マイコン１０は、体組成計１００の電源を切ってこの測定処理を終了する（ステップＳ６８）。
【０１３１】
一方、ステップＳ６４において部位別スイッチ３０２〜３０５のいずれかが押されたと判断した場合（ステップＳ６４においてＹＥＳ）、マイコン１０は、ステップＳ６４において押されたスイッチの種類に対応する被測定部位の体組成の測定値を表示部２０に表示させる（ステップＳ６６）。この場合、表示部２０の第１の表示領域２０．１には、指定された被測定部位の体組成が表示される。また、第２の表示領域２０．２では、指定された被測定部位が点灯表示される。
【０１３２】
ここで、ステップＳ６４で、部位別スイッチ３０２〜３０５のうち、体幹スイッチ３０３，脚スイッチ３０４，腕スイッチ３０５のいずれかが押圧された場合の表示例を、図１４に示す。
【０１３３】
図１４（ａ）は、体幹スイッチ３０３が押された場合の体幹部の体組成の表示例である。たとえば、体脂肪量６．４ｋｇ、除脂肪量１７．０ｋｇが表示される。また、第２の表示領域２０．２には、人体図のうち体幹部の部分が点灯表示される。
【０１３４】
図１４（ｂ）は、脚スイッチ３０４が押された場合の脚部の体組成の表示例である。たとえば、体脂肪量４．０ｋｇ、除脂肪量１２．０ｋｇが表示される。また。第２の表示領域２０．２には、人体図のうち脚部の部分が点灯表示される。
【０１３５】
図１４（ｃ）は、腕スイッチ３０５が押された場合の腕部の体組成の表示例である。たとえば、体脂肪量１．６ｋｇ、除脂肪量３．４ｋｇが表示される。また、第２の表示領域２０．２には、人体図のうち腕部の部分が点灯表示される。
【０１３６】
なお、全身スイッチ３０２が押された場合には、図１３（ｂ）に示した表示に戻る。
【０１３７】
ステップＳ６６の処理が終了すると、再びステップＳ６０に戻る。
【０１３８】
ステップＳ６０において、メモリスイッチ３０７が押されたと判断した場合（ステップＳ６０においてＹＥＳ）、マイコン１０は、外部メモリ３３に記憶された過去の測定結果であるメモリ値を、表示部２０の第１の表示領域２０．１に表示する（ステップＳ６２）。
【０１３９】
この場合、直前に表示されていた被測定部位に対応したメモリ値を読み出して表示する。たとえば、直前に、脚部の体組成が表示されていた場合、メモリスイッチ３０７が押されると、脚部の体組成の過去の測定結果が読み出されて表示される。
【０１４０】
また、ステップＳ６０において、メモリスイッチ３０７が押される度に、たとえば１週間前、２週間前というように、遡って対応する被測定部位の過去の測定結果が表示される。これにより、過去の測定値と比較した体組成の変化を把握することができる。
【０１４１】
ステップＳ６２の処理が終了すると、再びステップＳ６０に処理を戻す。
【０１４２】
このように、本発明の実施の形態における体組成計１００によれば、身体部位ごとの部位情報に基づいて抵抗率ρが計算されるため、実測値に基づいた精度の高い体組成を測定することができる。なお、本実施の形態における体組成計１００では、各身体部位の部位長と周囲長など断面積算出のための所定の長さとを計測しなければならないため、家庭用だけでなく病院などで用いられることも想定される。
【０１４３】
なお、上述したように、外部メモリ３３には、体組成測定の際、予め各身体部位の部位情報である断面積Ｓと部位長Ｌとが記憶されていることとしたが、たとえば各身体部位の周囲長ｌと部位長Ｌとを記憶しておくこととしてもよい。この場合、各身体部位の抵抗率ρの算出式は、以下のようにすることができる。
【０１４４】
ρ＝Ｚ×（ｌ２／４πＬ）
同様に、各身体部位の半径ｒまたは直径Ｒと部位長Ｌとを記憶しておき、各身体部位の抵抗率ρを算出することとしてもよい。
【０１４５】
なお、本実施の形態においては、インピーダンス計測部１０１，抵抗率算出部１０２，および体組成計算部１０３は、上記５つの身体部位全てを対象として各々の測定値を求めたが、これに限らない。たとえば、インピーダンス計測部１０１は、外部メモリ３３に部位情報が記憶された少なくとも１つの身体部位のうち、少なくとも１つの身体部位のインピーダンスを計測するものとしてもよい。この場合、抵抗率算出部１０２は、インピーダンス計測部１０２で計測された身体部位のインピーダンスと部位情報とにより、当該身体部位の抵抗率を算出する。また、体組成計算部１０３は、抵抗率算出部１０２で算出された抵抗率に基づいて、当該身体部位の体組成を計算する。なお、この場合は、上記したような方法で全身の体組成を算出することはできないため、公知の方法により、全身の体組成を計算することとしてもよい。
【０１４６】
また、本実施の形態における体組成計１００では、体重を体重計測部３２により測定できることとしたが、被験者により操作部３０を用いて入力されることとしてもかまわない。
【０１４７】
また、本発明の体組成計が行なう体組成測定方法を、プログラムとして提供することもできる。このようなプログラムは、コンピュータに付属するフレキシブルディスク、ＣＤ−ＲＯＭ（Compact Disc-ROM）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１４８】
提供されるプログラム製品は、ハードディスクなどのプログラム格納部にインストールされて実行される。なお、プログラム製品は、プログラム自体と、プログラムが記録された記録媒体とを含む。
【０１４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１５０】
【図１】本発明の実施の形態における体組成計の外観斜視図である。
【図２】被験者が本発明の実施の形態における体組成計を用いて、体組成を測定する際の測定姿勢を示す図である。
【図３】本発明の実施の形態における体組成計のブロック図である。
【図４】体組成計の第２の筐体２の正面図である。
【図５】各身体部位のインピーダンスを示す模式図である。
【図６】全身のインピーダンスを示す模式図である。
【図７】左腕部のインピーダンスの計測方法を説明するための図である。
【図８】各身体部位を円柱モデルで表わした模式図である。
【図９】円柱モデルについて説明するための図である。
【図１０】本発明の実施の形態における体組成計の部位情報記憶処理の流れを示すフローチャートである。
【図１１】本発明の実施の形態における体組成計の測定処理の流れを示す第１のフローチャートである。
【図１２】本発明の実施の形態１における体組成計の測定処理の流れを示す第２のフローチャートである。
【図１３】全身の測定結果の表示例を示す図である。
【図１４】部位別の測定結果の表示例を示す図である。
【図１５】公知の手法による全身インピーダンスの計測方法を説明するための図である。
【図１６】公知の手法により全身を円柱モデルで表わした模式図である。
【符号の説明】
【０１５１】
１  第１の筐体、１．１，１．２  載置部、２  第２の筐体、２．１  本体部、２．２，２．３  グリップ部、３  ケーブル、４  収納部、１０  マイクロコンピュータ、１１〜１８  電極、２０  表示部、２０．１  第１の表示領域、２０．２  第２の表示領域、３０  操作部、３１  電源部、３２  体重計測部、３３  外部メモリ、３４  計時部、４１  高周波定電流発生回路、４２  電流印加用電極切替回路、４３  電圧測定用電極切替回路、４４  入力切替回路、４５  Ａ／Ｄ変換回路、１００  体組成計、１０１  インピーダンス計測部、１０２  抵抗率算出部、１０３  体組成計算部、１３３  内部メモリ、３０１  電源スイッチ、３０２  全身スイッチ、３０３  体幹スイッチ、３０４  脚スイッチ、３０５  腕スイッチ、３０６  設定／表示切替スイッチ、３０７  メモリスイッチ、３０８  上下スイッチ、３０９  個人番号スイッチ、３１０  ゲストスイッチ。
【図１】
2006230700.tif 000003
【図２】
2006230700.tif 000004
【図３】
2006230700.tif 000005
【図４】
2006230700.tif 000006
【図５】
2006230700.tif 000007
【図６】
2006230700.tif 000008
【図７】
2006230700.tif 000009
【図８】
2006230700.tif 000010
【図９】
2006230700.tif 000011
【図１０】
2006230700.tif 000012
【図１１】
2006230700.tif 000013
【図１２】
2006230700.tif 000014
【図１３】
2006230700.tif 000015
【図１４】
2006230700.tif 000016
【図１５】
2006230700.tif 000017
【図１６】
2006230700.tif 000018